(57)【要約】【課題】電牧器機材を収納する専用のケースを不要にして費用のコストダウンを図ると共に、機材の運搬、配線及び設置工事が容易であり、電牧器機材の盗難防止が図れる電気柵用電牧器内蔵柱体を提供する。【解決手段】電気柵１２に高電圧を発生させる電牧器１３と、電牧器１３の電源となる電池１４と、電牧器及１３及び電池１４を内蔵する柱体本体１５と、柱体本体１５の外周に配設され、電牧器１３と接続させたアース１６とを備えている電気柵用電牧器内蔵柱体１１を提供する。前記柱体本体１５に碍子１８を介して電牧線１７が保持される。又、柱体本体１５の下端部１５ａは尖形に形成され、上端部は所定の強度を有する上端カバー１５ｃを有し、柱体本体１５は、下端部１５ａを地面１９に埋設されて立設される。【選択図】図１
2009022246.tif 000002
【特許請求の範囲】
【請求項１】
電気柵に高電圧を発生させる電牧器と、前記電牧器の電源となる電池と、前記電牧器及び電池を内蔵する柱体本体と、前記柱体本体の外周に配設され、前記電牧器と接続させたアースとを備えたことを特徴とする電気柵用電牧器内蔵柱体。
【請求項２】
電気柵に高電圧を発生させる電牧器と、前記電牧器の電源となる電池と、前記電牧器及び電池を内蔵し、外周部がアースとして機能する柱体本体とを備えたことを特徴とする電気柵用電牧器内蔵柱体。
【請求項３】
前記柱体本体に硝子を介して電牧線が保持されることを特徴とする請求項１又は２記載の電気柵用電牧器内蔵柱体。
【請求項４】
前記柱体本体の下端部は尖形に形成され、上端部は所定の強度を有する上端カバーを有し、前記柱体本体は、下端部を地面に埋設されて立設されるように構成されていることを特徴とする請求項１乃至３のうちいずれか一に記載の電気柵用電牧器内蔵柱体。
【請求項５】
前記電牧器は、タイマーにより、高電圧の発生開始時刻を設定自在に構成されていることを特徴とする請求項１乃至４のうちいずれか一に記載の電気柵用電牧器内蔵柱体。
【請求項６】
前記電牧器は、高電圧をランダムな時間間隔で発生自在に構成されていることを特徴とする請求項１乃至５のうちいずれか一に記載の電気柵用電牧器内蔵柱体。
【請求項７】
電気柵に高電圧を発生させる電牧器と、前記電牧器の電源となる電池と、前記電牧器及び電池を内蔵する収納ケースと、前記電牧器と接続させたアースとを備えた電気柵用電牧ユニットに於いて、前記電牧器は、高電圧をランダムな時間間隔で発生自在に構成されていることを特徴とする電気柵用電牧ユニット。
【請求項８】
前記電牧器は、タイマーにより、高電圧の発生開始時刻を設定自在に構成されていることを特徴とする請求項７記載の電気柵用電牧ユニット。
【発明の詳細な説明】
【技術分野】
【０００１】
本発明は、電気柵に高電圧を発生させる電牧器と、電牧器の電源となる電池とを柱体本体内に内蔵する電気柵用電牧器内蔵柱体及び電牧器と電池とを収納ケースに内蔵する電気柵用電牧ユニットに関する。
【背景技術】
【０００２】
従来の電気柵用電牧ユニットの一例を図３を用いて説明する。
図３に於いて、１は電気柵用の電牧器であり、電牧器１は、充電池等の電池２に接続されて収納ケース３内に収納される。収納ケース３は電気柵用柱体４の近傍、又は、電気柵用柱体４に配設される。
そして、電牧器１の（−）極は、地中に埋設されたアース５に接続され、他方の（＋）極は、電牧線６に接続されている。
電牧線６は電気柵用柱体４に固着された碍子７によって保持されている。
前記電牧器１と、電池２と、収納ケース３と、アース５とによって電気柵用電牧ユニット８が構成される。
【０００３】
而して、電池２の電圧が、電牧器１によって高電圧に変換され、電牧線６に高電圧がかかった状態で、牛、猪、熊、鹿、猿、アライグマ、ハクビシン等の動物が電牧線６に触れると、電牧線６と、地面との間で、動物に高電圧状態で電流が流れ、動物にショックを与えることになる。
これによって、動物が柵内に侵入することを防止することができる。反対に、柵内の家畜動物が柵外に逃亡することを防止することができる。
【０００４】
電気柵用電牧器の先行文献としては、例えば、特許文献１がある。特許文献１は、電気柵の通電装置であり、通電装置は柵用の支柱の近傍に設けられ、支柱に設けた硝子によって保持された裸電線に、通電装置で発生する高電圧がかかるように構成されている。
【特許文献１】特開平１１−１６９００７号公報
【発明の開示】
【発明が解決しようとする課題】
【０００５】
従来の電気柵用電牧ユニットは、前述したように、柵用の柱の近傍、又は、柱に電牧器、電池、アースなどを配設するよう構成されているので、次のような問題点を指摘することができる。
（１）電牧器機材、電池、アースなどが、盗難される虞がある。
（２）柱と電牧器機材が一体化していないため、機材の運搬や配線や設置工事に手間がかかる。
（３）電牧器機材を収納するケースや設備が必要で費用がかかる。
【０００６】
以上の現状に鑑み、本発明は、電牧器機材を収納する専用のケースを不要にして費用のコストダウンを図ると共に、機材の運搬、配線及び設置工事が容易であり、電牧器機材の盗難防止が図れる電気柵用電牧器内蔵柱体、及び、電牧器と電池とを収納ケースに内蔵し、高電圧をランダムな時間間隔で発生できる電気柵用電牧ユニットを提供することを目的とする。
【課題を解決するための手段】
【０００７】
上記の課題を解決すべく、本発明は以下の構成を提供する。
請求項１に係る発明は、電気柵に高電圧を発生させる電牧器と、前記電牧器の電源となる電池と、前記電牧器及び電池を内蔵する柱体本体と、前記柱体本体の外周に配設され、前記電牧器と接続させたアースとを備えたことを特徴とする電気柵用電牧器内蔵柱体を提供するものである。
【０００８】
請求項２に係る発明は、電気柵に高電圧を発生させる電牧器と、前記電牧器の電源となる電池と、前記電牧器及び電池を内蔵し、外周部がアースとして機能する柱体本体とを備えたことを特徴とする電気柵用電牧器内蔵柱体を提供するものである。
【０００９】
請求項３に係る発明は、前記柱体本体に硝子を介して電牧線が保持されることを特徴とする請求項１又は２記載の電気柵用電牧器内蔵柱体を提供するものである。
【００１０】
請求項４に係る発明は、前記柱体本体の下端部は尖形に形成され、上端部は所定の強度を有する上端カバーを有し、前記柱体本体は、下端部を地面に埋設されて立設されるように構成されていることを特徴とする請求項１乃至３のうちいずれか一に記載の電気柵用電牧器内蔵柱体を提供するものである。
【００１１】
請求項５に係る発明は、前記電牧器は、タイマーにより、高電圧の発生開始時刻を設定自在に構成されていることを特徴とする請求項１乃至４のうちいずれか一に記載の電気柵用電牧器内蔵柱体を提供するものである。
【００１２】
請求項６に係る発明は、前記電牧器は、高電圧をランダムな時間間隔で発生自在に構成されていることを特徴とする請求項１乃至５のうちいずれか一に記載の電気柵用電牧器内蔵柱体を提供するものである。
【００１３】
請求項７に係る発明は、電気柵に高電圧を発生させる電牧器と、前記電牧器の電源となる電池と、前記電牧器及び電池を内蔵する収納ケースと、前記電牧器と接続させたアースとを備えた電気柵用電牧ユニットに於いて、前記電牧器は、高電圧をランダムな時間間隔で発生自在に構成されていることを特徴とする電気柵用電牧ユニットを提供するものである。
【００１４】
請求項８に係る発明は、前記電牧器は、タイマーにより、高電圧の発生開始時刻を設定自在に構成されていることを特徴とする請求項７記載の電気柵用電牧ユニットを提供するものである。
【発明の効果】
【００１５】
本発明の請求項１記載の発明によれば、次のような効果が期待できる。
（１）電牧器機材を収納する専用のケースを不要にして費用のコストダウンを図ると共に、機材の運搬、配線及び設置工事が容易であり、電牧器機材の盗難防止が図れる電気柵用電牧器内蔵柱体を提供することができる。更に、この電気柵用電牧器内蔵柱体は、雨風による電牧器機材の劣化が少なく機材が長持ちする。又、外観をすっきりさせることができる。
（２）アースが柱体本体の外周に配設されるので、アースへの接続が容易であり、アース効果も高い。
（３）乾電池又は充電池を多数収納できるので、電牧器を長時間使用できる。
【００１６】
請求項２記載の発明によれば、次のような効果が期待できる。
（１）電牧器機材を収納する専用のケースを不要にして費用のコストダウンを図ると共に、機材の運搬、配線及び設置工事が容易であり、電牧器機材の盗難防止が図れる電気柵用電牧器内蔵柱体を提供することができる。更に、この電気柵用電牧器内蔵柱体は、雨風による電牧器機材の劣化が少なく機材が長持ちする。又、外観をすっきりさせることができる。
（２）アースが柱と一体化し、比較的に接地面積が広いため、アース効果が大であり、アース不良が発生しにくい。
（３）アースが柱体本体からはみ出していないので、柱体本体の下端部の埋設が容易である。或いは、アースを別に埋設する必要がない。
（４）乾電池又は充電池を多数収納できるので、電牧器を長時間使用できる。
【００１７】
請求項３記載の発明によれば、電牧器を内蔵した柱体本体を電気柵の柱体として利用でき、電牧線を保持できる。
【００１８】
請求項４記載の発明によれば、電牧器、電池等を内蔵した柱体本体の下端部を地面に埋設するので、電牧器、電池等の盗難防止が図れる。
【００１９】
請求項５記載の発明によれば、前記電牧器は、タイマーにより、高電圧の発生開始時刻を設定自在に構成されているので、必要な時刻に高電圧の発生を開始させることにより節電を図ることができると共に、動物等が侵入しやすい明け方、夕暮れ時等、いつでも高電圧の発生開始が可能になる。
【００２０】
請求項６記載の発明によれば、前記電牧器は、高電圧をランダムな時間間隔で発生自在に構成されているので、従来の高電圧の発生時間間隔が一定の場合に、動物が慣れてしまい、高電圧の発生効果が薄れることを防止し、動物が慣れにくいランダムな時間間隔で高電圧を発生させることにより、動物に不意の電撃を与えることができる。
【００２１】
請求項７記載の発明によれば、電気柵に高電圧を発生させる電牧器と、前記電牧器の電源となる電池と、前記電牧器及び電池を内蔵する収納ケースと、前記電牧器と接続させたアースとを備えた電気柵用電牧ユニットに於いて、前記電牧器は、高電圧をランダムな時間間隔で発生自在に構成されている電気柵用電牧ユニットを提供するので、前記電気柵用電牧器内蔵柱体ではない従来の電気柵用電牧ユニットに於いて、動物が慣れにくいランダムな時間間隔で高電圧を発生させて、動物に不意の電撃を与えることができる。
【００２２】
請求項８記載の発明によれば、前記電牧器は、タイマーにより、高電圧の発生開始時刻を設定自在に構成されているので、必要な時刻に高電圧を発生開始させることが可能となり、節電を図ることができると共に、動物等が侵入しやすい明け方、夕暮れ時等、いつでも正確に高電圧の発生開始が可能になる。
【発明を実施するための最良の形態】
【００２３】
以下、実施例を示した図面を参照しつつ本発明の実施の形態を説明する。
図１に於いて、１１は、本発明の第１発明の電気柵用電牧器内蔵柱体であり、電気柵用電牧器内蔵柱体１１は、電気柵１２に高電圧を発生させる電牧器１３と、電牧器１３の電源となる電池１４と、電牧器１３及び電池１４を内蔵する柱体本体１５と、柱体本体１５下端部外周に配設され、電牧器１３と接続させたアース１６とを備えている。
【００２４】
前記電牧器１３は、例えば、２次電圧７９００Ｖを発生し、最高備蓄エネルギーが０．８ジュールである市販の高電圧発生装置が用いられる。
市販の高電圧発生装置として、例えば２次電圧８４００Ｖ、最高備蓄エネルギーが１．７ジュールである高電圧発生装置、２次電圧８４００Ｖ、最高備蓄エネルギーが４．１ジュールである高電圧発生装置もあり、対象となる動物、例えば、牛、猪、熊、鹿、猿、アライグマ、ハクビシン等に合わせて適宜高電圧発生装置を選択する。
【００２５】
又、前記電牧器１３は、従来用いられている押しボタン等のスイッチ或いは昼夜切替スイッチで、高電圧の発生を開始させてもよいが、本発明では、図示は省略するが、特に、タイマーにより、高電圧の発生開始時刻を設定自在に構成されている。タイマーは、２４時間タイマー、又は、カウントアップタイマー、或いは、カウントダウンタイマーを使用する。タイマーを使用することにより、確実に高電圧の発生を開始させることができる。又、節電効果も期待できる。
従来の昼夜切替スイッチでは明け方、夕暮れ時等の微妙な時間帯の高電圧の発生開始が困難であったが、タイマーを使用することにより、明け方、夕暮れ時等の野生動物の侵入が多い時刻等、いつでも、高電圧の発生を開始させることができる利点がある。
【００２６】
又、前記電牧器は、高電圧をランダムな時間間隔で発生自在に構成されている。例えば、0.75秒−1.0秒−1.5秒−1秒−1.25秒という時間間隔で高電圧を発生させる。これにより、従来、高電圧の発生時間間隔が一定の場合に、その時間間隔に動物が慣れてしまい、動物に電撃を与える効果が薄れる問題があったが、動物が慣れにくいランダムな時間間隔で高電圧を発生させて、動物に不意の電撃を与えることができる。
【００２７】
前記電池１４は、例えば、１２Ｖの充電池であるが、乾電池であっても良い。又、１００電源を変圧して用いても良く、この場合は、電池１４の代わりにＡＣアダプタを設けても良い。充電池の場合、柱体本体１５等にソーラーパネルを配設して充電する構成としても良い。
前記柱体本体１５は例えば円筒状の鋼管又は外周部に樹脂を被覆した樹脂管で形成され、下端部１５ａが下方に向かって尖形に形成され、上端部１５ｂは所定の強度を有する上端カバー１５ｃを有している。
そして、前記柱体本体１５の外周部の適宜高さに適数本の電牧線１７を夫々保持させるための適数個の硝子１８が固着される。
【００２８】
前記アース１６は、柱体本体１５の下端部外周に例えば等間隔に４本配設される。アース１６は、柱体本体１５の下端部の埋設前に、柱体本体１５の下端部外周に予め固着されるが、柱体本体１５の下端部の埋設後に、アース１６を埋設して配設しても良い。尚、アース１６は、柱体本体１５の下端部外周の全周に及んで配設しても良い。
電牧器１３の変圧機能の一次側は電池１４に接続され、二次側の（＋）側は電牧線１７に接続され、（−）側はアース１６に接続される。但し、小動物用の場合は、（＋）側に接続される電牧線１７と隣接して離間する電牧線１７にも（−）側を接続して、小動物に（＋）側電牧線１７と（−）側電牧線１７とが同時に触れやすくする。
柱体本体１５内に電牧器１３及び電池１４を配線して収納したら、上端カバー１５ｃをかぶせて柱体本体１５の上端を密閉する。上端カバー１５は、例えば、柱体本体１５の内部上端に受光素子（ダイオード、ＣＤＳ）をセットする場合は、透光性のプラスチック製とし、セットしない場合は、金属製としても良い。
尚、スイッチ（図示せず）は、例えば、柱体本体１５の内部に収納し、柱体本体１５の外周に開閉蓋を設け、開閉蓋を開いて操作できるようにしても良い。或いは、柱体本体１５の内部に収納したスイッチをリモコンによって操作してもよい。
【００２９】
而して、電気柵用電牧器内蔵柱体１１の尖形の下端部１５ａを地面１９に埋設して電気柵用電牧器内蔵柱体１１を立設し、硝子１８に電牧線１７を保持させる。
電気柵用電牧器内蔵柱体１１から延びる電牧線１７の延長線は、適宜間隔で支柱（図示せず）に保持される。そして、前記電気柵用電牧器内蔵柱体１１、その他の支柱、電牧線１７によって電気柵１２が形成される。
【００３０】
前記電池１４の電圧は、電牧器１３によって高電圧化され、電牧線１７と地面１９との間に高電圧が付加される。又は、（＋）側電牧線１７と（−）側電牧線１７との間に高電圧が付加される。
【００３１】
そして、動物（図示せず）が電牧線１７に触れると、電牧線１７と動物と地面１９の間でショートし、即ち、高電圧状態で電流が流れ、或いは、動物が（＋）側電牧線１７と（−）側電牧線１７に同時に触れると、（＋）側電牧線１７と動物と（−）側電牧線１７の間でショートし、動物は電気ショックを受ける。
【００３２】
この電気ショックを動物が嫌がることによって、動物が電気柵１２内に侵入することを防止することができる。反対に、電気柵１２内の家畜動物が柵外に逃亡することを防止することができる。
【００３３】
図２に於いて、３１は、本発明の第２発明の電気柵用電牧器内蔵柱体であり、電気柵用電牧器内蔵柱体３１は、前記電気柵用電牧器内蔵柱体（図１に於いて１１）のアース（図１に於いて１６）を無くし、アース（図１に於いて１６）の代わりに柱体本体３３をアースとして機能させるものである。
従って、電気柵用電牧器内蔵柱体３１は、電気柵３２に高電圧を発生させる電牧器１３と、電牧器１３の電源となる電池１４と、電牧器１３及び電池１４を内蔵し、外周部がアースとして機能する柱体本体３３とを備えたものである。
【００３４】
前記柱体本体３３は例えば円筒状の鋼管で形成され、下端部３３ａが下方に向かって尖形に形成され、上端部３３ｂは所定の強度を有する上端カバー３３ｃを有している。
そして、前記柱体本体３３は、アース機能を持たせるため導電性の材料で形成されている。尚、柱体本体３３の外周部のみ導電性の材料で形成することも可能であり、然る時も同様の効果が期待できる。
【００３５】
電牧器１３の変圧機能の一次側は電池１４に接続され、二次側の（＋）側は電牧線１７に接続され、（−）側は柱体本体３３に接続される。但し、小動物用の場合は、（＋）側に接続される電牧線１７と隣接して離間する電牧線１７にも（−）側を接続して、小動物に（＋）側電牧線１７と（−）側電牧線１７とが同時に触れやすくする。
柱体本体３３内に電牧器１３及び電池１４を配線して収納したら、上端カバー３３ｃをかぶせて柱体本体３３の上端を密閉する。
【００３６】
而して、電気柵用電牧器内蔵柱体３１の尖形の下端部３３ａを地面１９に埋設して電気柵用電牧器内蔵柱体３１を立設し、硝子１８に電牧線１７を保持させる。
【００３７】
前記電池１４の電圧は、電牧器１３によって高電圧化され、電牧線１７と地面１９との間に高電圧が付加される。又は、（＋）側電牧線１７と（−）側電牧線１７との間に高電圧が付加される。
【００３８】
そして、動物（図示せず）が電牧線１７に触れると、電牧線１７と動物と地面１９の間でショートし、即ち、高電圧状態で電流が流れ、或いは、動物が（＋）側電牧線１７と（−）側電牧線１７に同時に触れると、（＋）側電牧線１７と動物と（−）側電牧線１７の間でショートし、動物は電気ショックを受ける。
【００３９】
この電気ショックを動物が嫌がることによって、動物が電気柵内に侵入することを防止することができる。反対に、電気柵内の家畜動物が柵外に逃亡することを防止することができる。
【００４０】
次に、本発明の第３発明の電気柵用電牧ユニットについて説明する。図示は省略するが、本発明の第３発明の電気柵用電牧ユニットは、従来例の電気柵用電牧ユニット（図３に於いて８）の電牧器（図３に於いて１）が、高電圧をランダムな時間間隔で発生自在に構成されたものである。
このように、動物が慣れにくいランダムな時間間隔で高電圧を発生させることにより、動物に不意の電撃を与えることができる。
又、前記電牧器（図３に於いて１）は、タイマーにより、高電圧の発生開始時刻を設定自在に構成されている。
これにより、必要な時刻に高電圧を発生開始させることが可能となり、節電を図ることができると共に、動物等が侵入しやすい明け方、夕暮れ時等、いつでも高電圧の発生開始が可能になる。
【図面の簡単な説明】
【００４１】
【図１】（ａ）本発明による第１発明の電気柵用電牧器内蔵柱体と電気柵の平面図である。（ｂ）本発明による第１発明の電気柵用電牧器内蔵柱体と電気柵の正面縦断断面図である。
【図２】（ａ）本発明による第２発明の電気柵用電牧器内蔵柱体と電気柵の平面図である。（ｂ）本発明による第２発明の電気柵用電牧器内蔵柱体と電気柵の正面縦断断面図である。
【図３】（ａ）従来例の電気柵用電牧ユニットの平面図である。（ｂ）従来例の電気柵用電牧ユニットの正面縦断断面図である。
【符号の説明】
【００４２】
８  電気柵用電牧ユニット
１１  電気柵用電牧器内蔵柱体
１２  電気柵
１３  電牧器
１４  電池
１５  柱体本体
１５ａ  下端部
１５ｂ  上端部
１５ｃ  上端カバー
１６  アース
１７  電牧線
１８  硝子
３１  電気柵用電牧器内蔵柱体
３２  電気柵
３３  柱体本体
３３ａ  下端部
３３ｂ  上端部
３３ｃ  上端カバー
【図１】
2009022246.tif 000003
【図２】
2009022246.tif 000004
【図３】
2009022246.tif 000005
【手続補正書】
【提出日】平成19年8月7日(2007.8.7)
【手続補正１】
【補正対象書類名】特許請求の範囲
【補正対象項目名】全文
【補正方法】変更
【補正の内容】
【特許請求の範囲】
【請求項１】
電気柵に高電圧を発生させる電牧器と、前記電牧器の電源となる電池と、前記電牧器及び電池を内蔵する柱体本体と、前記柱体本体の外周に配設され、前記電牧器と接続させたアースとを備えたことを特徴とする電気柵用電牧器内蔵柱体。
【請求項２】
電気柵に高電圧を発生させる電牧器と、前記電牧器の電源となる電池と、前記電牧器及び電池を内蔵し、外周部がアースとして機能する柱体本体とを備えたことを特徴とする電気柵用電牧器内蔵柱体。
【請求項３】
前記柱体本体に碍子を介して電牧線が保持されることを特徴とする請求項１又は２記載の電気柵用電牧器内蔵柱体。
【請求項４】
前記柱体本体の下端部は尖形に形成され、上端部は所定の強度を有する上端カバーを有し、前記柱体本体は、下端部を地面に埋設されて立設されるように構成されていることを特徴とする請求項１乃至３のうちいずれか一に記載の電気柵用電牧器内蔵柱体。
【請求項５】
前記電牧器は、タイマーにより、高電圧の発生開始時刻を設定自在に構成されていることを特徴とする請求項１乃至４のうちいずれか一に記載の電気柵用電牧器内蔵柱体。
【請求項６】
前記電牧器は、高電圧をランダムな時間間隔で発生自在に構成されていることを特徴とする請求項１乃至５のうちいずれか一に記載の電気柵用電牧器内蔵柱体。
【請求項７】
電気柵に高電圧を発生させる電牧器と、前記電牧器の電源となる電池と、前記電牧器及び電池を内蔵する収納ケースと、前記電牧器と接続させたアースとを備えた電気柵用電牧ユニットに於いて、前記電牧器は、高電圧をランダムな時間間隔で発生自在に構成されていることを特徴とする電気柵用電牧ユニット。
【請求項８】
前記電牧器は、タイマーにより、高電圧の発生開始時刻を設定自在に構成されていることを特徴とする請求項７記載の電気柵用電牧ユニット。
【手続補正２】
【補正対象書類名】明細書
【補正対象項目名】全文
【補正方法】変更
【補正の内容】
【発明の詳細な説明】
【技術分野】
【０００１】
本発明は、電気柵に高電圧を発生させる電牧器と、電牧器の電源となる電池とを柱体本体内に内蔵する電気柵用電牧器内蔵柱体及び電牧器と電池とを収納ケースに内蔵する電気柵用電牧ユニットに関する。
【背景技術】
【０００２】
従来の電気柵用電牧ユニットの一例を図３を用いて説明する。
図３に於いて、１は電気柵用の電牧器であり、電牧器１は、充電池等の電池２に接続されて収納ケース３内に収納される。収納ケース３は電気柵用柱体４の近傍、又は、電気柵用柱体４に配設される。
そして、電牧器１の（−）極は、地中に埋設されたアース５に接続され、他方の（＋）極は、電牧線６に接続されている。
電牧線６は電気柵用柱体４に固着された碍子７によって保持されている。
前記電牧器１と、電池２と、収納ケース３と、アース５とによって電気柵用電牧ユニット８が構成される。
【０００３】
而して、電池２の電圧が、電牧器１によって高電圧に変換され、電牧線６に高電圧がかかった状態で、牛、猪、熊、鹿、猿、アライグマ、ハクビシン等の動物が電牧線６に触れると、電牧線６と、地面との間で、動物に高電圧状態で電流が流れ、動物にショックを与えることになる。
これによって、動物が柵内に侵入することを防止することができる。反対に、柵内の家畜動物が柵外に逃亡することを防止することができる。
【０００４】
電気柵用電牧器の先行文献としては、例えば、特許文献１がある。特許文献１は、電気柵の通電装置であり、通電装置は柵用の支柱の近傍に設けられ、支柱に設けた碍子によって保持された裸電線に、通電装置で発生する高電圧がかかるように構成されている。
【特許文献１】特開平１１−１６９００７号公報
【発明の開示】
【発明が解決しようとする課題】
【０００５】
従来の電気柵用電牧ユニットは、前述したように、柵用の柱の近傍、又は、柱に電牧器、電池、アースなどを配設するよう構成されているので、次のような問題点を指摘することができる。
（１）電牧器機材、電池、アースなどが、盗難される虞がある。
（２）柱と電牧器機材が一体化していないため、機材の運搬や配線や設置工事に手間がかかる。
（３）電牧器機材を収納するケースや設備が必要で費用がかかる。
【０００６】
以上の現状に鑑み、本発明は、電牧器機材を収納する専用のケースを不要にして費用のコストダウンを図ると共に、機材の運搬、配線及び設置工事が容易であり、電牧器機材の盗難防止が図れる電気柵用電牧器内蔵柱体、及び、電牧器と電池とを収納ケースに内蔵し、高電圧をランダムな時間間隔で発生できる電気柵用電牧ユニットを提供することを目的とする。
【課題を解決するための手段】
【０００７】
上記の課題を解決すべく、本発明は以下の構成を提供する。
請求項１に係る発明は、電気柵に高電圧を発生させる電牧器と、前記電牧器の電源となる電池と、前記電牧器及び電池を内蔵する柱体本体と、前記柱体本体の外周に配設され、前記電牧器と接続させたアースとを備えたことを特徴とする電気柵用電牧器内蔵柱体を提供するものである。
【０００８】
請求項２に係る発明は、電気柵に高電圧を発生させる電牧器と、前記電牧器の電源となる電池と、前記電牧器及び電池を内蔵し、外周部がアースとして機能する柱体本体とを備えたことを特徴とする電気柵用電牧器内蔵柱体を提供するものである。
【０００９】
請求項３に係る発明は、前記柱体本体に碍子を介して電牧線が保持されることを特徴とする請求項１又は２記載の電気柵用電牧器内蔵柱体を提供するものである。
【００１０】
請求項４に係る発明は、前記柱体本体の下端部は尖形に形成され、上端部は所定の強度を有する上端カバーを有し、前記柱体本体は、下端部を地面に埋設されて立設されるように構成されていることを特徴とする請求項１乃至３のうちいずれか一に記載の電気柵用電牧器内蔵柱体を提供するものである。
【００１１】
請求項５に係る発明は、前記電牧器は、タイマーにより、高電圧の発生開始時刻を設定自在に構成されていることを特徴とする請求項１乃至４のうちいずれか一に記載の電気柵用電牧器内蔵柱体を提供するものである。
【００１２】
請求項６に係る発明は、前記電牧器は、高電圧をランダムな時間間隔で発生自在に構成されていることを特徴とする請求項１乃至５のうちいずれか一に記載の電気柵用電牧器内蔵柱体を提供するものである。
【００１３】
請求項７に係る発明は、電気柵に高電圧を発生させる電牧器と、前記電牧器の電源となる電池と、前記電牧器及び電池を内蔵する収納ケースと、前記電牧器と接続させたアースとを備えた電気柵用電牧ユニットに於いて、前記電牧器は、高電圧をランダムな時間間隔で発生自在に構成されていることを特徴とする電気柵用電牧ユニットを提供するものである。
【００１４】
請求項８に係る発明は、前記電牧器は、タイマーにより、高電圧の発生開始時刻を設定自在に構成されていることを特徴とする請求項７記載の電気柵用電牧ユニットを提供するものである。
【発明の効果】
【００１５】
本発明の請求項１記載の発明によれば、次のような効果が期待できる。
（１）電牧器機材を収納する専用のケースを不要にして費用のコストダウンを図ると共に、機材の運搬、配線及び設置工事が容易であり、電牧器機材の盗難防止が図れる電気柵用電牧器内蔵柱体を提供することができる。更に、この電気柵用電牧器内蔵柱体は、雨風による電牧器機材の劣化が少なく機材が長持ちする。又、外観をすっきりさせることができる。
（２）アースが柱体本体の外周に配設されるので、アースへの接続が容易であり、アース効果も高い。
（３）乾電池又は充電池を多数収納できるので、電牧器を長時間使用できる。
【００１６】
請求項２記載の発明によれば、次のような効果が期待できる。
（１）電牧器機材を収納する専用のケースを不要にして費用のコストダウンを図ると共に、機材の運搬、配線及び設置工事が容易であり、電牧器機材の盗難防止が図れる電気柵用電牧器内蔵柱体を提供することができる。更に、この電気柵用電牧器内蔵柱体は、雨風による電牧器機材の劣化が少なく機材が長持ちする。又、外観をすっきりさせることができる。
（２）アースが柱と一体化し、比較的に接地面積が広いため、アース効果が大であり、アース不良が発生しにくい。
（３）アースが柱体本体からはみ出していないので、柱体本体の下端部の埋設が容易である。或いは、アースを別に埋設する必要がない。
（４）乾電池又は充電池を多数収納できるので、電牧器を長時間使用できる。
【００１７】
請求項３記載の発明によれば、電牧器を内蔵した柱体本体を電気柵の柱体として利用でき、電牧線を保持できる。
【００１８】
請求項４記載の発明によれば、電牧器、電池等を内蔵した柱体本体の下端部を地面に埋設するので、電牧器、電池等の盗難防止が図れる。
【００１９】
請求項５記載の発明によれば、前記電牧器は、タイマーにより、高電圧の発生開始時刻を設定自在に構成されているので、必要な時刻に高電圧の発生を開始させることにより節電を図ることができると共に、動物等が侵入しやすい明け方、夕暮れ時等、いつでも高電圧の発生開始が可能になる。
【００２０】
請求項６記載の発明によれば、前記電牧器は、高電圧をランダムな時間間隔で発生自在に構成されているので、従来の高電圧の発生時間間隔が一定の場合に、動物が慣れてしまい、高電圧の発生効果が薄れることを防止し、動物が慣れにくいランダムな時間間隔で高電圧を発生させることにより、動物に不意の電撃を与えることができる。
【００２１】
請求項７記載の発明によれば、電気柵に高電圧を発生させる電牧器と、前記電牧器の電源となる電池と、前記電牧器及び電池を内蔵する収納ケースと、前記電牧器と接続させたアースとを備えた電気柵用電牧ユニットに於いて、前記電牧器は、高電圧をランダムな時間間隔で発生自在に構成されている電気柵用電牧ユニットを提供するので、前記電気柵用電牧器内蔵柱体ではない従来の電気柵用電牧ユニットに於いて、動物が慣れにくいランダムな時間間隔で高電圧を発生させて、動物に不意の電撃を与えることができる。
【００２２】
請求項８記載の発明によれば、前記電牧器は、タイマーにより、高電圧の発生開始時刻を設定自在に構成されているので、必要な時刻に高電圧を発生開始させることが可能となり、節電を図ることができると共に、動物等が侵入しやすい明け方、夕暮れ時等、いつでも正確に高電圧の発生開始が可能になる。
【発明を実施するための最良の形態】
【００２３】
以下、実施例を示した図面を参照しつつ本発明の実施の形態を説明する。
図１に於いて、１１は、本発明の第１発明の電気柵用電牧器内蔵柱体であり、電気柵用電牧器内蔵柱体１１は、電気柵１２に高電圧を発生させる電牧器１３と、電牧器１３の電源となる電池１４と、電牧器１３及び電池１４を内蔵する柱体本体１５と、柱体本体１５下端部外周に配設され、電牧器１３と接続させたアース１６とを備えている。
【００２４】
前記電牧器１３は、例えば、２次電圧７９００Ｖを発生し、最高備蓄エネルギーが０．８ジュールである市販の高電圧発生装置が用いられる。
市販の高電圧発生装置として、例えば２次電圧８４００Ｖ、最高備蓄エネルギーが１．７ジュールである高電圧発生装置、２次電圧８４００Ｖ、最高備蓄エネルギーが４．１ジュールである高電圧発生装置もあり、対象となる動物、例えば、牛、猪、熊、鹿、猿、アライグマ、ハクビシン等に合わせて適宜高電圧発生装置を選択する。
【００２５】
又、前記電牧器１３は、従来用いられている押しボタン等のスイッチ或いは昼夜切替スイッチで、高電圧の発生を開始させてもよいが、本発明では、図示は省略するが、特に、タイマーにより、高電圧の発生開始時刻を設定自在に構成されている。タイマーは、２４時間タイマー、又は、カウントアップタイマー、或いは、カウントダウンタイマーを使用する。タイマーを使用することにより、確実に高電圧の発生を開始させることができる。又、節電効果も期待できる。
従来の昼夜切替スイッチでは明け方、夕暮れ時等の微妙な時間帯の高電圧の発生開始が困難であったが、タイマーを使用することにより、明け方、夕暮れ時等の野生動物の侵入が多い時刻等、いつでも、高電圧の発生を開始させることができる利点がある。
【００２６】
又、前記電牧器は、高電圧をランダムな時間間隔で発生自在に構成されている。例えば、0.75秒−1.0秒−1.5秒−1秒−1.25秒という時間間隔で高電圧を発生させる。これにより、従来、高電圧の発生時間間隔が一定の場合に、その時間間隔に動物が慣れてしまい、動物に電撃を与える効果が薄れる問題があったが、動物が慣れにくいランダムな時間間隔で高電圧を発生させて、動物に不意の電撃を与えることができる。
【００２７】
前記電池１４は、例えば、１２Ｖの充電池であるが、乾電池であっても良い。又、１００電源を変圧して用いても良く、この場合は、電池１４の代わりにＡＣアダプタを設けても良い。充電池の場合、柱体本体１５等にソーラーパネルを配設して充電する構成としても良い。
前記柱体本体１５は例えば円筒状の鋼管又は外周部に樹脂を被覆した樹脂管で形成され、下端部１５ａが下方に向かって尖形に形成され、上端部１５ｂは所定の強度を有する上端カバー１５ｃを有している。
そして、前記柱体本体１５の外周部の適宜高さに適数本の電牧線１７を夫々保持させるための適数個の碍子１８が固着される。
【００２８】
前記アース１６は、柱体本体１５の下端部外周に例えば等間隔に４本配設される。アース１６は、柱体本体１５の下端部の埋設前に、柱体本体１５の下端部外周に予め固着されるが、柱体本体１５の下端部の埋設後に、アース１６を埋設して配設しても良い。尚、アース１６は、柱体本体１５の下端部外周の全周に及んで配設しても良い。
電牧器１３の変圧機能の一次側は電池１４に接続され、二次側の（＋）側は電牧線１７に接続され、（−）側はアース１６に接続される。但し、小動物用の場合は、（＋）側に接続される電牧線１７と隣接して離間する電牧線１７にも（−）側を接続して、小動物に（＋）側電牧線１７と（−）側電牧線１７とが同時に触れやすくする。
柱体本体１５内に電牧器１３及び電池１４を配線して収納したら、上端カバー１５ｃをかぶせて柱体本体１５の上端を密閉する。上端カバー１５は、例えば、柱体本体１５の内部上端に受光素子（受光ダイオード、ＣＤＳ）をセットする場合は、透光性のプラスチック製とし、セットしない場合は、金属製としても良い。
尚、スイッチ（図示せず）は、例えば、柱体本体１５の内部に収納し、柱体本体１５の外周に開閉蓋を設け、開閉蓋を開いて操作できるようにしても良い。或いは、柱体本体１５の内部に収納したスイッチをリモコンによって操作してもよい。
【００２９】
而して、電気柵用電牧器内蔵柱体１１の尖形の下端部１５ａを地面１９に埋設して電気柵用電牧器内蔵柱体１１を立設し、碍子１８に電牧線１７を保持させる。
電気柵用電牧器内蔵柱体１１から延びる電牧線１７の延長線は、適宜間隔で支柱（図示せず）に保持される。そして、前記電気柵用電牧器内蔵柱体１１、その他の支柱、電牧線１７によって電気柵１２が形成される。
【００３０】
前記電池１４の電圧は、電牧器１３によって高電圧化され、電牧線１７と地面１９との間に高電圧が付加される。又は、（＋）側電牧線１７と（−）側電牧線１７との間に高電圧が付加される。
【００３１】
そして、動物（図示せず）が電牧線１７に触れると、電牧線１７と動物と地面１９の間でショートし、即ち、高電圧状態で電流が流れ、或いは、動物が（＋）側電牧線１７と（−）側電牧線１７に同時に触れると、（＋）側電牧線１７と動物と（−）側電牧線１７の間でショートし、動物は電気ショックを受ける。
【００３２】
この電気ショックを動物が嫌がることによって、動物が電気柵１２内に侵入することを防止することができる。反対に、電気柵１２内の家畜動物が柵外に逃亡することを防止することができる。
【００３３】
図２に於いて、３１は、本発明の第２発明の電気柵用電牧器内蔵柱体であり、電気柵用電牧器内蔵柱体３１は、前記電気柵用電牧器内蔵柱体（図１に於いて１１）のアース（図１に於いて１６）を無くし、アース（図１に於いて１６）の代わりに柱体本体３３をアースとして機能させるものである。
従って、電気柵用電牧器内蔵柱体３１は、電気柵３２に高電圧を発生させる電牧器１３と、電牧器１３の電源となる電池１４と、電牧器１３及び電池１４を内蔵し、外周部がアースとして機能する柱体本体３３とを備えたものである。
【００３４】
前記柱体本体３３は例えば円筒状の鋼管で形成され、下端部３３ａが下方に向かって尖形に形成され、上端部３３ｂは所定の強度を有する上端カバー３３ｃを有している。
そして、前記柱体本体３３は、アース機能を持たせるため導電性の材料で形成されている。尚、柱体本体３３の外周部のみ導電性の材料で形成することも可能であり、然る時も同様の効果が期待できる。
【００３５】
電牧器１３の変圧機能の一次側は電池１４に接続され、二次側の（＋）側は電牧線１７に接続され、（−）側は柱体本体３３に接続される。但し、小動物用の場合は、（＋）側に接続される電牧線１７と隣接して離間する電牧線１７にも（−）側を接続して、小動物に（＋）側電牧線１７と（−）側電牧線１７とが同時に触れやすくする。
柱体本体３３内に電牧器１３及び電池１４を配線して収納したら、上端カバー３３ｃをかぶせて柱体本体３３の上端を密閉する。
【００３６】
而して、電気柵用電牧器内蔵柱体３１の尖形の下端部３３ａを地面１９に埋設して電気柵用電牧器内蔵柱体３１を立設し、碍子１８に電牧線１７を保持させる。
【００３７】
前記電池１４の電圧は、電牧器１３によって高電圧化され、電牧線１７と地面１９との間に高電圧が付加される。又は、（＋）側電牧線１７と（−）側電牧線１７との間に高電圧が付加される。
【００３８】
そして、動物（図示せず）が電牧線１７に触れると、電牧線１７と動物と地面１９の間でショートし、即ち、高電圧状態で電流が流れ、或いは、動物が（＋）側電牧線１７と（−）側電牧線１７に同時に触れると、（＋）側電牧線１７と動物と（−）側電牧線１７の間でショートし、動物は電気ショックを受ける。
【００３９】
この電気ショックを動物が嫌がることによって、動物が電気柵内に侵入することを防止することができる。反対に、電気柵内の家畜動物が柵外に逃亡することを防止することができる。
【００４０】
次に、本発明の第３発明の電気柵用電牧ユニットについて説明する。図示は省略するが、本発明の第３発明の電気柵用電牧ユニットは、従来例の電気柵用電牧ユニット（図３に於いて８）の電牧器（図３に於いて１）が、高電圧をランダムな時間間隔で発生自在に構成されたものである。
このように、動物が慣れにくいランダムな時間間隔で高電圧を発生させることにより、動物に不意の電撃を与えることができる。
又、前記電牧器（図３に於いて１）は、タイマーにより、高電圧の発生開始時刻を設定自在に構成されている。
これにより、必要な時刻に高電圧を発生開始させることが可能となり、節電を図ることができると共に、動物等が侵入しやすい明け方、夕暮れ時等、いつでも高電圧の発生開始が可能になる。
【図面の簡単な説明】
【００４１】
【図１】（ａ）本発明による第１発明の電気柵用電牧器内蔵柱体と電気柵の平面図である。（ｂ）本発明による第１発明の電気柵用電牧器内蔵柱体と電気柵の正面縦断断面図である。
【図２】（ａ）本発明による第２発明の電気柵用電牧器内蔵柱体と電気柵の平面図である。（ｂ）本発明による第２発明の電気柵用電牧器内蔵柱体と電気柵の正面縦断断面図である。
【図３】（ａ）従来例の電気柵用電牧ユニットの平面図である。（ｂ）従来例の電気柵用電牧ユニットの正面縦断断面図である。
【符号の説明】
【００４２】
８  電気柵用電牧ユニット
１１  電気柵用電牧器内蔵柱体
１２  電気柵
１３  電牧器
１４  電池
１５  柱体本体
１５ａ  下端部
１５ｂ  上端部
１５ｃ  上端カバー
１６  アース
１７  電牧線
１８  碍子
３１  電気柵用電牧器内蔵柱体
３２  電気柵
３３  柱体本体
３３ａ  下端部
３３ｂ  上端部
３３ｃ  上端カバー